【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  被写体像の焦点調節を行うフォーカスレンズを駆動指示するフォーカスレンズ駆動指示手段と、前記フォーカスレンズによって結像された被写体像を電気信号に変換する光電変換手段と、前記光電変換手段の出力信号から被写体の輝度の高周波成分を表わす信号を抽出する抽出手段と、装置に対する各種入力操作を行なうための操作手段と、装置動作を制御する制御手段とを有し、
前記制御手段は前記操作手段の操作に応じて前記フォーカスレンズを駆動し、前記フォーカスレンズの停止位置を記憶したのち、所定範囲前記フォーカスレンズを駆動しながら、前記抽出手段からの出力を前記フォーカスレンズの位置と関連付けて記憶し、当該記憶結果に基づいて前記停止位置に前記フォーカスレンズを駆動するようにしたことを特徴とする撮像装置。
【請求項２】  焦点調節動作の開始を指示する焦点調節動作開始指示手段をさらに有し、
前記焦点調節動作開始指示手段の状態に応じて前記フォーカスレンズを駆動しながら、前記抽出手段からの出力を前記フォーカスレンズの位置と関連付けて記憶することを特徴とする請求項１に記載の撮像装置。
【請求項３】  焦点調節結果の可否を撮影者に報知する焦点調節結果報知手段をさらに有し、
フォーカスモードの状態に応じて、前記焦点調節結果報知手段の出力を変えることを特徴とする請求項１又は２に記載の撮像装置。
【請求項４】  前記焦点調節結果報知手段は、表示装置であることを特徴とする請求項３に記載の撮像装置。
【請求項５】  前記焦点調節結果報知手段は、発音装置であることを特徴とする請求項３に記載の撮像装置。
【請求項６】  撮影レンズの焦点距離を変更するズームレンズをさらに有し、
前記ズームレンズの位置に応じて、前記停止位置を基準とする前記フォーカスレンズの駆動範囲を変えることを特徴とする請求項１〜５のいずれか１項に記載の撮像装置。
【請求項７】  前記制御手段は、所定範囲前記フォーカスレンズを駆動しながら、前記抽出手段からの出力を前記フォーカスレンズの位置と関連付けて記憶し、当該記憶結果に基づいて焦点調節を行わない場合に前記停止位置に前記フォーカスレンズを駆動するようにしたことを特徴とする請求項１〜６のいずれか１項に記載の撮像装置。
【請求項８】  光学系を介して得られる被写体像を合焦させるための自動合焦方法であって、
操作手段の操作に応じて駆動されるフォーカスレンズの停止位置を記憶し、
当該記憶したのち前記フォーカスレンズを駆動しながら、被写体の輝度の高周波成分を表わす信号を抽出手段によって抽出し、
前記抽出手段からの出力を前記フォーカスレンズの位置と関連付けて記憶し、
当該記憶結果に基づいて前記停止位置に前記フォーカスレンズを駆動するようにしたことを特徴とする自動合焦方法。
【請求項９】  請求項１〜７のいずれか１項に記載の撮像装置の各手段としてコンピュータを機能させるためのプログラムを格納したコンピュータ読取り可能な記憶媒体。
【請求項１０】  請求項８に記載の自動合焦方法の処理手順を実行させるためのプログラムを格納したコンピュータ読取り可能な記憶媒体。
【手続補正２】
【補正対象書類名】明細書
【補正対象項目名】０００９
【補正方法】変更
【補正の内容】
【０００９】
【課題を解決するための手段】
本発明による撮像装置は、被写体像の焦点調節を行うフォーカスレンズを駆動指示するフォーカスレンズ駆動指示手段と、前記フォーカスレンズによって結像された被写体像を電気信号に変換する光電変換手段と、前記光電変換手段の出力信号から被写体の輝度の高周波成分を表わす信号を抽出する抽出手段と、装置に対する各種入力操作を行なうための操作手段と、装置動作を制御する制御手段とを有し、前記制御手段は前記操作手段の操作に応じて前記フォーカスレンズを駆動し、前記フォーカスレンズの停止位置を記憶したのち、所定範囲前記フォーカスレンズを駆動しながら、前記抽出手段からの出力を前記フォーカスレンズの位置と関連付けて記憶し、当該記憶結果に基づいて前記停止位置に前記フォーカスレンズを駆動するようにしたことを特徴とする。
【手続補正３】
【補正対象書類名】明細書
【補正対象項目名】００１０
【補正方法】変更
【補正の内容】
【００１０】
また、本発明の撮像装置において、焦点調節動作の開始を指示する焦点調節動作開始指示手段をさらに有し、前記焦点調節動作開始指示手段の状態に応じて前記フォーカスレンズを駆動しながら、前記抽出手段からの出力を前記フォーカスレンズの位置と関連付けて記憶することを特徴とする。
【手続補正４】
【補正対象書類名】明細書
【補正対象項目名】００１１
【補正方法】変更
【補正の内容】
【００１１】
また、本発明の撮像装置において、焦点調節結果の可否を撮影者に報知する焦点調節結果報知手段をさらに有し、フォーカスモードの状態に応じて、前記焦点調節結果報知手段の出力を変えることを特徴とする。
【手続補正５】
【補正対象書類名】明細書
【補正対象項目名】００１２
【補正方法】変更
【補正の内容】
【００１２】
また、本発明の撮像装置において、前記焦点調節結果報知手段は、表示装置であることを特徴とする。
【手続補正６】
【補正対象書類名】明細書
【補正対象項目名】００１３
【補正方法】変更
【補正の内容】
【００１３】
また、本発明の撮像装置において、前記焦点調節結果報知手段は、発音装置であることを特徴とする。
【手続補正７】
【補正対象書類名】明細書
【補正対象項目名】００１４
【補正方法】変更
【補正の内容】
【００１４】
また、本発明の撮像装置において、撮影レンズの焦点距離を変更するズームレンズをさらに有し、前記ズームレンズの位置に応じて、前記停止位置を基準とする前記フォーカスレンズの駆動範囲を変えることを特徴とする。
【手続補正８】
【補正対象書類名】明細書
【補正対象項目名】００１５
【補正方法】変更
【補正の内容】
【００１５】
また、本発明の撮像装置において、前記制御手段は、所定範囲前記フォーカスレンズを駆動しながら、前記抽出手段からの出力を前記フォーカスレンズの位置と関連付けて記憶し、当該記憶結果に基づいて焦点調節を行わない場合に前記停止位置に前記フォーカスレンズを駆動するようにしたことを特徴とする。
【手続補正９】
【補正対象書類名】明細書
【補正対象項目名】００１６
【補正方法】変更
【補正の内容】
【００１６】
また、本発明による自動合焦方法は、光学系を介して得られる被写体像を合焦させるための自動合焦方法であって、操作手段の操作に応じて駆動されるフォーカスレンズの停止位置を記憶し、当該記憶したのち前記フォーカスレンズを駆動しながら、被写体の輝度の高周波成分を表わす信号を抽出手段によって抽出し、前記抽出手段からの出力を前記フォーカスレンズの位置と関連付けて記憶し、当該記憶結果に基づいて前記停止位置に前記フォーカスレンズを駆動するようにしたことを特徴とする。
【手続補正１０】
【補正対象書類名】明細書
【補正対象項目名】００１７
【補正方法】変更
【補正の内容】
【００１７】
また、本発明の記録媒体は、上記いずれかの各手段としてコンピュータを機能させるためのプログラムを格納したコンピュータ読取り可能な記憶媒体である。
また、本発明の記録媒体は、上記処理手順を実行させるためのプログラムを格納したコンピュータ読取り可能な記憶媒体である。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】